(57)【要約】【課題】  画像データが記憶された内部記憶媒体及び外部記憶媒体に対する操作性を向上することができる画像処理装置を提供する。【解決手段】  外部記憶媒体の接続を検知した際、表示していた内部記憶媒体に対する複数の設定内容を記憶すると共に、外部記憶媒体に対する操作を行うか否かを確認するための画面を表示し、外部記憶媒体に対する操作を行うと判別された場合に、内部記憶媒体に対する複数の設定内容を外部記憶媒体に対する複数の設定内容として置き換える。【選択図】  図１７
2011044922.tif 000002
【特許請求の範囲】
【請求項１】
原稿から画像データを読み取る画像読取手段と、前記画像読取手段により読み取った画像データを内部記憶媒体もしくは着脱可能な外部記憶媒体に記憶する記憶手段とを有する画像処理装置において、前記内部記憶媒体及び前記外部記憶媒体に対する複数の設定内容を入力操作する操作手段と、前記操作手段により入力された複数の設定内容を表示する表示手段と、前記外部記憶媒体の接続及び非接続を検知する検知手段とを有し、前記検知手段で前記外部記憶媒体の接続を検知した際、前記表示手段で表示していた前記内部記憶媒体に対する複数の設定内容を記憶すると共に、前記外部記憶媒体に対する操作を行うか否かを確認するための画面を前記表示手段に表示し、前記外部記憶媒体に対する操作を行うと判別された場合に、前記内部記憶媒体に対する複数の設定内容を前記外部記憶媒体に対する複数の設定内容として置き換えることを特徴とする画像処理装置。
【請求項２】
前記検知手段で前記外部記憶媒体の非接続を検知した際、記憶された前記内部記憶媒体に対する複数の設定内容を呼び出し、前記内部記憶媒体に対する操作を行うか否かを確認するための画面を前記表示手段に表示し、前記内部記憶媒体に対する操作を行うと判別された場合に、前記表示手段で表示していた前記外部記憶媒体に対する複数の設定内容を前記内部記憶媒体に対する複数の設定内容として置き換えることを特徴とする請求項１記載の画像処理装置。
【発明の詳細な説明】
【技術分野】
【０００１】
本発明は、内部記憶媒体と着脱可能な外部記憶媒体に画像データを記憶する画像処理装置に関するものである。
【背景技術】
【０００２】
従来、スキャナから読み取った画像データや、ＰＣ等のホストコンピュータからネットワークを介して送られたＰＤＬ（ＰａｇｅＤｅｓｃｒｉｐｔｉｏｎＬａｎｇｕａｇｅ：ページ記述言語）データをビットマップに展開し、展開した画像データをハードディスク等の大容量記憶装置に一旦蓄積し、その記憶装置から任意の原稿の画像データを繰り返し読み出して印刷するボックス機能を備えたデジタル複合機等の画像処理装置が知られている。
【０００３】
一方、デジタルカメラの普及に伴い、画像処理装置に対して着脱可能なＵＳＢメモリやメモリカード等の記憶媒体が実用化され、普及しており、スキャナから読み取った画像データを記憶媒体に蓄積可能な画像処理装置も知られている。
【０００４】
内部記憶媒体及び着脱可能な外部記憶媒体に記憶された画像データを処理する技術として、例えば、特開２００５−３３３２７５号公報（特許文献１）に記載された技術が知られている。
【０００５】
特許文献１に記載された技術は、脱着可能な外部記憶媒体を利用することにより、内部記憶媒体の記憶容量を増加させることなしに実質的な記憶容量を増加させ得るように構成したものである。
【先行技術文献】
【特許文献】
【０００６】
【特許文献１】特開２００５−３３３２７５号公報
【発明の概要】
【発明が解決しようとする課題】
【０００７】
しかしながら、特許文献１に記載の技術では、内部記憶媒体と外部記憶媒体に対する操作性について何ら規定しておらず、内部記憶媒体に対する入力操作を行っている最中に、外部記憶媒体を接続すると、外部記憶媒体に対する入力操作を行うための画面に遷移してしまい、内部記憶媒体に対する入力操作の内容が失われるという問題点があった。例えば、外部記憶媒体が接続されていない状態で、原稿画像の読み取り条件を入力した後、外部記憶媒体を接続すると、原稿画像の読み取り条件を再入力する必要があり、この操作がユーザにとって非常に煩雑なものであった。また、外部記憶媒体に対する入力操作を行っている最中に、外部記憶媒体を取り外すと、内部記憶媒体に対する入力操作を行うための画面に遷移してしまい、外部記憶媒体に対する入力操作の内容が失われるという問題点もあった。
【０００８】
本発明は、上述の問題点に着目してなされたものであって、画像データが記憶された内部記憶媒体及び外部記憶媒体に対する操作性を向上することができる画像処理装置を提供することを目的とする。
【課題を解決するための手段】
【０００９】
以上の点に鑑み、本発明によれば以下の手段を講ずることにより上記問題を解消するものである。
【００１０】
すなわち、原稿から画像データを読み取る画像読取手段と、前記画像読取手段により読み取った画像データを内部記憶媒体もしくは着脱可能な外部記憶媒体に記憶する記憶手段とを有する画像処理装置において、前記内部記憶媒体及び前記外部記憶媒体に対する複数の設定内容を入力操作する操作手段と、前記操作手段により入力された複数の設定内容を表示する表示手段と、前記外部記憶媒体の接続及び非接続を検知する検知手段とを有し、前記検知手段で前記外部記憶媒体の接続を検知した際、前記表示手段で表示していた前記内部記憶媒体に対する複数の設定内容を記憶すると共に、前記外部記憶媒体に対する操作を行うか否かを確認するための画面を前記表示手段に表示し、前記外部記憶媒体に対する操作を行うと判別された場合に、前記内部記憶媒体に対する複数の設定内容を前記外部記憶媒体に対する複数の設定内容として置き換えることを特徴とするものである。
【００１１】
また、前記検知手段で前記外部記憶媒体の非接続を検知した際、記憶された前記内部記憶媒体に対する複数の設定内容を呼び出し、前記内部記憶媒体に対する操作を行うか否かを確認するための画面を前記表示手段に表示し、前記内部記憶媒体に対する操作を行うと判別された場合に、前記表示手段で表示していた前記外部記憶媒体に対する複数の設定内容を前記内部記憶媒体に対する複数の設定内容として置き換えることを特徴とするものである。
【発明の効果】
【００１２】
本発明によれば、外部記憶媒体の接続を検知した際、表示していた内部記憶媒体に対する複数の設定内容を記憶すると共に、外部記憶媒体に対する操作を行うか否かを確認するための画面を表示し、外部記憶媒体に対する操作を行うと判別された場合に、内部記憶媒体に対する複数の設定内容を外部記憶媒体に対する複数の設定内容として置き換えることとしたので、外部記憶媒体に対する操作性の向上を図ることができる。
【００１３】
また、外部記憶媒体の非接続を検知した際、記憶された内部記憶媒体に対する複数の設定内容を呼び出し、内部記憶媒体に対する操作を行うか否かを確認するための画面を表示し、内部記憶媒体に対する操作を行うと判別された場合に、外部記憶媒体に対する複数の設定内容を内部記憶媒体に対する複数の設定内容として置き換えることとしたので、内部記憶媒体に対する操作性の向上も図ることができる。
【図面の簡単な説明】
【００１４】
【図１】本発明の実施例に係る画像形成装置の全体構成を示すブロック図である。
【図２】図１に示した画像処理装置におけるリーダ部及びプリンタ部のハードウェア構成を示す模式図である。
【図３】図１に示した画像処理装置における制御装置の構成を表すブロック図である。
【図４】図１示した画像処理装置における操作部のキー配列を表す平面図である。
【図５】図１に示した画像処理装置におけるハードディスクの記憶領域を複数の領域に論理的に分けた状態を示す模式図である。
【図６】図１に示した画像処理装置におけるボックス登録処理を表したフローチャートである。
【図７】図１に示した画像処理装置における操作部に表示されるボックス選択画面の一例を示す模式図である。
【図８】図１に示した画像処理装置における操作部に表示されるボックス内文書リスト画面の一例を示す模式図である。
【図９】図１に示した画像処理装置における操作部に表示される原稿読み込み初期設定画面の一例を示す模式図である。
【図１０】図１に示した画像処理装置における操作部に表示される原稿読み込み設定後の画面の一例を示す模式図である。
【図１１】図１に示した画像処理装置における操作部に表示される文書格納先選択画面の一例を示す模式図である。
【図１２】図１に示した画像処理装置における操作部に表示されるリムーバブルメディア内文書リスト画面の一例を示す模式図である。
【図１３】図１に示した画像処理装置における操作部に表示されるリムーバブルメディア読み込み初期設定画面の一例を示す模式図である。
【図１４】図１に示した画像処理装置における操作部に表示されるリムーバブルメディア読み込み設定後の画面の一例を示す模式図である。
【図１５】図１に示した画像処理装置における操作部に表示されるリムーバブルメディア操作確認画面の一例を示す模式図である。
【図１６】図１に示した画像処理装置における操作部に表示されるボックス操作確認画面の一例を示す模式図である。
【図１７】本実施例におけるリムーバブルメディア接続イベント検知時の処理を表したフローチャートである。
【図１８】本実施例におけるリムーバブルメディア非接続イベント検知時の処理を表したフローチャートである。
【発明を実施するための形態】
【００１５】
［実施例］
以下、本発明の実施例について図面を用いて説明する。なお、本発明はこの実施例に限るものではない。
【００１６】
図１は、本発明の実施例に係る画像形成装置の全体構成を示すブロック図である。本実施例では、画像処理装置として、コピー機能、スキャナ機能、プリンタ機能、送信機能及びボックス機能を有するデジタル複合機を例に説明する。画像処理装置１００は、図１に示すように、リーダ部１３９、プリンタ部１４９、制御装置１６０、操作部１７０及び内部記憶装置１８０を備える。
【００１７】
リーダ部１３９は、原稿を給紙するための原稿給紙ユニット１３６と原稿給紙ユニット１３６から給紙された原稿上の画像を読み取るためのスキャナユニット１３８を有し、スキャナユニット１３８により読み取られた画像データは制御装置１６０に入力される。
【００１８】
プリンタ部１４９は、給紙ユニット１４８、マーキングユニット１５１及び排紙ユニット１３５を有する。給紙ユニット１４８は、異なるサイズの記録紙をそれぞれ収容する複数のカセットを搭載し、各カセットから記録紙を給紙する。マーキングユニット１５１は、電子写真方式による画像形成プロセスを有するユニットである。このマーキングユニット１５１においては、ＬＡＮ１９０に接続されたＰＣ（ホストコンピュータ）１９１またはスキャナユニット１３８から制御装置１６０を介して入力された画像データに基づき、給紙ユニット１４８から給紙された記録紙上に画像形成を行う。排紙ユニット１３５は、マーキングユニット１５１により画像形成された記録紙をソート、ステイプル等の後処理を施して排紙する。
【００１９】
制御装置１６０は、リーダ部１３９及びプリンタ部１４９と電気的に接続されると共に、ＰＣ１９１を収容するＬＡＮ１９０に接続されている。制御装置１６０は、リーダ部１３９により原稿の画像データを読み取り、この画像データをプリンタ部１４９に出力して記録紙上に画像を形成するように制御することによって、コピー機能を実現する。また、リーダ部１３９で読み取られた画像データをコードデータに変換し、ＬＡＮ１９０を介してＰＣ１９１に送信するように制御することによって、スキャナ機能を実現する。また、ＰＣ１９１からＬＡＮ１９０を介して受信したＰＤＬコードデータを画像データに変換し、この画像データをプリンタ部１４９に出力するように制御することによって、プリンタ機能を実現する。また、リーダ部１３９により原稿の画像データを読み取り、この画像データをＦＴＰやＳＭＢ等の送信プロトコルを用いて、ＬＡＮ１９０を介して送信し、ＴｉｆｆやＰＤＦ等のファイル形式で電子メールに添付して送信するように制御することによって、送信機能を実現する。また、制御装置１６０には内部記憶装置１８０及びリムーバブルメディア１９２が接続され、リーダ部１３９により原稿の画像データを読み取り、この画像データを内部記憶装置１８０及びリムーバブルメディア１９２に格納するように制御することによって、ボックス機能を実現する。このボックス機能の詳細については後述する。
【００２０】
内部記憶装置１８０は、ハードディスクドライブ等の大容量の記憶装置で、その記憶領域は後述するように複数の領域に分割され、各領域には画像データが格納される。
【００２１】
リムーバブルメディア１９２は、画像処理装置１００に着脱可能なＵＳＢメモリやメモリカード等の記憶メディアで、その内部に画像データが格納される。
【００２２】
操作部１７０は、制御装置１６０に対する指示入力等を行うための各種キー及びユーザとのインタフェース画面を表示するための液晶表示パネルを有し、各種キーからの操作に応じて対応する信号を発生して制御装置１６０へ出力する。
【００２３】
次に、リーダ部１３９及びプリンタ部１４９のハードウェア構成について図２を参照しながら説明する。
【００２４】
図２は、図１に示した画像処理装置１００におけるリーダ部１３９及びプリンタ部１４９のハードウェア構成を示す模式図である。図において、１００は画像処理装置で、リーダ部１３９とプリンタ部１４９を備えている。
【００２５】
１３６は原稿給紙ユニットで、原稿載置台１０１に原稿を自動的に給送する。１３７は原稿排紙トレイで、原稿給紙ユニット１３６により原稿載置台１０１に給送された原稿を排紙するトレイである。原稿載置台１０１は、原稿給紙ユニット１３６から給送される原稿を載置する原稿台ガラスである。１０２は光学系で、原稿載置台１０１に載置される原稿画像を露光操作するものであり、原稿照明ランプ（露光ランプ）１０３、走査ミラー１４５、レンズ１４３、モータ１０４等から構成されている。
【００２６】
１３５は排紙ユニットで、画像処理装置１００から排出される記録紙の仕分けをする。１４６、１４７は排紙ビンで、排紙ユニット１３５により仕分けされた記録紙を排紙するビンである。原稿給紙ユニット１３６と排紙ユニット１３５は画像処理装置１００に対して自在に組み合わせて使用できるように構成されている。
【００２７】
１０６は一次帯電器、１０７はブランク露光ユニット、１０８は電位センサ、１０９は現像器、１１０は転写帯電器、１１１は分離帯電器、１１２はクリーニング装置で、これらが感光体ドラム１０５の周囲に配置される。これら各部１０６〜１１２と感光体ドラム１０５により画像形成手段が構成されている。１１３はモータで、感光体ドラム１０５を図中の矢印方向に回転駆動する。
【００２８】
１１４は上段カセット、１１５は下段カセットで、記録紙が格納されるものである。１１８、１１９は給紙ローラで、ピックアップローラ１１６、１１７により上段カセット１１４、下段カセット１１５からピックアップされた記録紙を給紙ローラ１３２まで搬送する。１２４はデッキで、画像処理装置１００に装備され、例えば４０００枚の記録紙を収納することができる。１２５はリフタで、デッキ１２４に収納される記録紙が給紙ローラ１２６に常に接するように記録紙の量に応じて上昇する。
【００２９】
１２０はレジストローラで、給紙ローラ１３２またはデッキ１２４の給紙ローラ１２６により搬送される記録紙の先端と感光体ドラム１０５上に現像されたトナー像の先端とのタイミングが一致するように記録紙を感光体ドラム１０５へ搬送する。１２１は搬送ベルトで、トナー像が転写された記録紙を定着器１２２まで搬送する。１２２は定着器で、定着ローラ１４４により記録紙に加圧および加熱することにより、トナー像を記録紙に定着させる。１２３は排出ローラで、トナー像が定着された記録紙を排紙する。１２７は排紙フラッパで、排出ローラ１２３から送り出された記録紙の搬送経路を両面印刷側または多重印刷側と排出側（排紙ユニット１３５）のいずれかに切り替える。ここで、両面印刷または多重印刷が設定されている場合は、排出ローラ１２３から送り出された記録紙の搬送経路を両面印刷側または多重印刷側に切り替える。１２８は下搬送パスで、排出ローラ１２３から送り出された記録紙を反転パス１２９を介して裏返して再給紙トレイ１３０に導く。１３１は多重フラッパで、両面印刷と多重印刷の搬送経路を切り替えるものであり、これを左方向に倒すことにより、反転パスを経由させずに記録紙を直接下搬送パス１２８に導くことができる。１３０は再給紙トレイで、下搬送パス１２８から搬送されてくる記録紙を一時的に格納する。給紙ローラ１３２は経路１３３を通じて記録紙を感光体ドラム１０５側に給紙する。１３４は排紙ローラで、排紙フラッパ１２７の近傍に配置され、排紙フラッパ１２７により排出側に切り替えられた記録紙を画像処理装置外に排出する。
【００３０】
以下、各部の動作について説明する。
【００３１】
モータ１０４により露光ランプ１０３および走査ミラー１４５を駆動して、原稿載置台１０１に載置された原稿を走査しつつ露光ランプ１０３で原稿を照明し、原稿からの反射光を走査ミラー１４５とレンズ１４３により感光体ドラム１０５に照射する。感光体ドラム１０５はメインモータ１１３により図１に示す矢印の方向に回転されるものであり、一次帯電器１０６により感光体ドラム１０５の表面はコロナ帯電させられており、光学系１０２から原稿の反射光が照射されると感光体ドラム１０５の表面に静電潜像が形成される。この静電潜像は、現像器１０９により現像されてトナー像として可視化される。一方、上段カセット１１４あるいは下段カセット１１５からピックアップローラ１１６、１１７を介し、給紙ローラ１１８、１１９により画像処理装置１００内に送られた記録紙がレジストローラ１２０によりトナー像の先端と記録紙の先端とが一致するようにタイミングがとられた後、感光体ドラム１０５に給送され、転写帯電器１１０によりトナー像が転写される。記録紙にトナー像が転写された後、記録紙は分離帯電器１１１により感光体ドラム１０５から分離され、搬送ベルト１２１により定着器１２２に導かれて加圧、加熱によりトナー像が記録紙上に定着される。その後、排出ローラ１２３により排出される。また、クリーニング装置１１２により、感光体ドラム１０５の表面が清掃される。両面印刷時には、排紙フラッパ１２７を上方に上げて、反転パス１２９、搬送パス１２８を介し、記録紙の既に画像形成された面が上になるように再給紙トレイ１３０に格納する。このとき、多重フラッパ１３１を図中の右方向に倒しておく。一方、多重印刷時には、記録紙の既に画像形成された面が下にくるように再給紙トレイ１３０に格納され、多重フラッパ１３１は図中の左方向に倒される。次に行われる裏面印刷時や多重印刷時には、再給紙トレイ１３０に格納されている記録紙が下から１枚ずつ給紙ローラ１３２により経路１３３を介して画像処理装置１００のレジストローラ１２０に導かれる。画像処理装置１００から記録紙を反転して排出する際には、排紙フラッパ１２７を図中の上方に上げ、多重フラッパ１３１を図中の右方向に倒し、記録紙を搬送パス１２９側へ搬送し、記録紙の後端が送りローラ１４０を通過した後に反転ローラ１４２によって送りローラ１４１側へ搬送し、排出ローラ１３４によって、記録紙を反転して画像処理装置外へ排出する。
【００３２】
次に、制御装置１６０の詳細構成について図３を参照しながら説明する。
【００３３】
図３は、図１に示した画像処理装置１００における制御装置１６０の構成を表すブロック図である。制御装置１６０は、装置全体の制御を行うメインコントローラ２１１を有し、このメインコントローラ２１１には、ＣＰＵ２１２、バスコントローラ２１３、各種Ｉ／Ｆコントローラ回路（図示せず）等が設けられている。
【００３４】
メインコントローラ２１１には、ＲＯＭ２１４がＩ／Ｆ２１５を介し、またＤＲＡＭ２１６がＩ／Ｆ２１７を介してそれぞれ接続されている。ＣＰＵ２１２は、ＲＯＭ２１４からＩ／Ｆ２１５を介して読み込んだ制御プログラムに従い、各種処理を行う。例えば、ＰＣ１９１から受信したＰＤＬデータを解釈し、ラスタイメージデータに展開する展開処理等を行う。ＣＰＵ２１２の作業領域は、ＤＲＡＭ２１６により提供される。このＤＲＡＭ２１６には、画像データも格納される。また、本発明の後述するフローチャートで示される制御処理は、ＲＯＭ２１４もしくはハードディスク１８２に格納されている制御プログラムをＤＲＡＭ２１６に読み出し、ＣＰＵ２１２が該制御プログラムに基づいて処理することにより実現される。
【００３５】
また、メインコントローラ２１１には、Ｃｏｄｅｃ２１８がＩ／Ｆ２２０を介して接続され、Ｃｏｄｅｃ２１８はＤＲＡＭ２１６に格納されたラスタイメージデータをＭＨ／ＭＲ／ＭＭＲ／ＪＢＩＧ等の方式で圧縮し、また逆に圧縮され蓄積されたコードデータをラスタイメージデータに伸長する。Ｃｏｄｅｃ２１８の処理に伴う作業領域は、ＳＲＡＭ２１９により提供される。Ｃｏｄｅｃ２１８とＤＲＡＭ２１６との間のデータ転送は、ＤＭＡ方式により行われ、その制御はバスコントローラ２１３によって行われる。
【００３６】
また、メインコントローラ２１１には、ネットワークコントローラ２２１がＩ／Ｆ２２３を介して接続され、このネットワークコントローラ２２１は、イーサネット（登録商標）等のネットワーク機能を有する。ネットワークコントローラ２２１には、コネクタ２２２が設けられ、このコネクタ２２２はＬＡＮ１９０に接続されている。
【００３７】
さらに、メインコントローラ２１１には、拡張ボードを接続するための拡張コネクタ２２４及びＩ／Ｏ制御部２２６が汎用高速バス２２５を介して接続されている。ここで、汎用高速バス２２５は例えばＰＣＩバスから成る。
【００３８】
Ｉ／Ｏ制御部２２６は、リーダ部１３９、プリンタ部１４９の各ＣＰＵと制御コマンドを送受信するための２チャンネルの同調歩同期シリアル通信コントローラ２２７を含み、Ｉ／Ｏバス２２８を介してスキャナＩ／Ｆ２４０及びプリンタＩ／Ｆ２４５と接続されている。
【００３９】
また、Ｉ／Ｏ制御部２２６には、パネルＩ／Ｆ２３２が接続され、パネルＩ／Ｆ２３２は、操作部１７０とのインタフェースである。このパネルＩ／Ｆ２３２には、ＬＣＤコントローラ２３１が接続され、ＬＣＤコントローラ２３１は、操作部１７０に設けられた液晶表示パネルの駆動を行う。また、パネルＩ／Ｆ２３２は、操作部１７０のハードキー、ソフトキーの操作に応じて入力されたキー信号を取り込むためのＩ／Ｆ２３０を含む。
【００４０】
さらに、Ｉ／Ｏ制御部２２６には、装置内で管理する日時を更新、保存するためのリアルタイムクロックモジュール２３３、Ｅ−ＩＤＥコネクタ１８１、ＵＳＢポート２５０が接続され、このリアルタイムクロックモジュール２３３はバックアップ用電池２３４でバックアップされている。Ｅ−ＩＤＥコネクタ１８１は、内部記憶装置１８０を接続するためのコネクタであり、このコネクタ１８１にハードディスクドライブ等の内部記憶装置１８０を接続することによって、この内部記憶装置１８０に画像データを書き込み、また読み出すことができる。本実施例では、ハードディスクドライブ１８０が接続され、このハードディスクドライブ１８０はハードディスク１８２を駆動する。ＵＳＢポート２５０は、リムーバブルメディア１９２を接続するためのコネクタであり、このポート２５０にＵＳＢメモリ等のリムーバブルメディア１９２を接続することによって、このリムーバブルメディア１９２に画像データを書き込み、また読み出すことができる。
【００４１】
スキャナＩ／Ｆ２４０は、スキャナバス２４１を介してメインコントローラ２１１に接続され、また、リーダ部１３９と接続するコネクタ２４２が設けられている。スキャナＩ／Ｆ２４０とコネクタ２４２とは、同調歩同期シリアルＩ／Ｆ２４３及び２４４を介して接続されている。スキャナＩ／Ｆ２４０は、リーダ部１３９から受け取った画像に対して最適な二値化処理、変倍処理等を行う処理機能を有し、また、リーダ部１３９から受け取ったビデオ制御信号に基づき制御信号を生成し、スキャナバス２４１を介して、制御信号をメインコントローラ２１１に出力する機能を有する。ここで、スキャナバス２４１からＤＲＡＭ２１６へのデータ転送は、バスコントローラ２１３により制御される。
【００４２】
同様に、プリンタＩ／Ｆ２４５は、プリンタバス２４６を介してメインコントローラ２１１に接続され、また、プリンタ部１４９と接続するコネクタ２４７が設けられている。プリンタＩ／Ｆ２４５とコネクタ２４７とは、同調歩同期シリアルＩ／Ｆ２４８及びビデオＩ／Ｆ２４９を介して接続されている。プリンタＩ／Ｆ２４５は、メインコントローラ２１１から出力された画像データにスムージング処理を施してプリンタ部１４９へ出力する機能を有し、また、プリンタ部１４９から受け取ったビデオ制御信号に基づき制御信号を生成し、プリンタバス２４６を介して、制御信号をメインコントローラ２１１に出力する機能を有する。ＤＲＡＭ２１６上で展開されたラスタイメージデータのプリンタ部１４９への転送は、バスコントローラ２１３によって制御され、プリンタバス２４６、ビデオＩ／Ｆ２４９を経由してプリンタ部１４９へ転送される。
【００４３】
次に、操作部１７０の詳細構成について図４を参照しながら説明する。
【００４４】
図４は、図１に示した画像処理装置１００における操作部１７０のキー配列を表す平面図である。図において、４０１は電源スイッチで、画像処理装置１００への通電を制御する。４０２は予熱キーで、予熱モードのＯＮ／ＯＦＦに使用する。４０３はスタートキーで、コピーやスキャンの開始を指示するときに用いるキーである。４０４はストップキーで、コピーを中断したり、中止したりするときに用いるキーである。４０５はリセットキーで、スタンバイ中は標準モードに復帰させるキーとして動作する。４０６はガイドキーで、各機能を知りたいときに使用するキーである。４０７はユーザモードキーで、ユーザがシステムの基本設定を変更するときに使用する。４０８はテンキーで、数値の入力を行うときに使用する。４０９はクリアキーで、数値をクリアするときに用いる。４１０はＩＤキーで、デジタル複合機を使用する場合にＩＤの入力モードに移行するときに使用する。４１１はカウンタ確認キーで、それまでに使用したコピー枚数の集計をＬＣＤタッチパネル４１３に表示させるときに使用する。４１２は調整キーで、ＬＣＤタッチパネル４１３のコントラストを調整するときに使用する。４１３はＬＣＤタッチパネルで、液晶画面とタッチセンサの組み合わせから成り、各機能毎に個別の設定画面が表示され、さらに描画されたキーに触れることで、各種の詳細な設定を行うことが可能である。また、ＬＣＤタッチパネル４１３は、各々のジョブの動作状況表示等も行う。４１４はジョブの実行中や画像データの蓄積中を示すＬＥＤで、緑色に点滅する。４１５はエラーＬＥＤで、ジャム、ドアオープン等、装置がエラー状態にある場合に赤色に点滅する。４１６は電源ＬＥＤで、画像処理装置１００の電源がＯＮになっていることを示す。
【００４５】
次に、ハードディスク１８２の論理的な使用方法について図５を参照しながら説明する。
【００４６】
図５は、図１に示した画像処理装置１００におけるハードディスク１８２の記憶領域を複数の領域に論理的に分けた状態を示す模式図である。ハードディスク１８２の記憶領域は、図５に示すように、テンポラリ領域５０１とボックス全体領域５０２とに論理的に分けられる。テンポラリ領域５０１は、画像データの出力順序を変えたり、複数部数出力において1回のスキャンで出力を可能にするために、ＰＤＬの展開データやスキャナユニット１３８からのスキャン画像データを一時的に記憶する領域である。ボックス全体領域５０２は、ボックス機能に使用される領域であり、予め決められている数の領域に分割されている。本実施例では、ボックス全体領域５０２がボックス領域５０３〜５０７に分割されているものとする。ボックス領域５０３〜５０７は、各ユーザや部署毎に割り当てられ、ボックス領域５０３〜５０７には対応するボックス番号、ボックス名のそれぞれが割り付けられている。ユーザは、ボックス番号を指定することによって、このボックス番号に対応する領域にアクセスすることができ、対応する領域の画像データを読み出し、印刷や送信することが可能になる。さらに、ボックス領域５０３〜５０７には対応するパスワードが割り付けられている場合があり、パスワードが割り付けられている場合には、パスワードを入力することによって、対応する領域の画像データを読み出し、印刷や送信することが可能になる。
【００４７】
本実施例では、ボックス領域５０３〜５０７にアクセスするのと同じ入力操作でリムーバブルメディア１９２にアクセスすることができ、リムーバブルメディア１９２から画像データを読み出し、印刷や送信することが可能になっている。
このように、ユーザによりハードディスク１８２のボックス領域５０３〜５０７もしくはリムーバブルメディア１９２を指定し、この指定された領域に画像データを格納し、ユーザの操作によりこの画像データを任意のタイミングで読み出して印刷、送信等を行うことができる機能をボックス機能という。また、本実施例では、ボックス機能によりハードディスク１８２のボックス領域５０３〜５０７もしくはリムーバブルメディア１９２に格納された画像データのことを文書と呼ぶ。
【００４８】
次に、ボックス機能のボックス登録について図６を参照しながら説明する。
【００４９】
図６は、図１に示した画像処理装置１００におけるボックス登録処理を表したフローチャートである。ここで、図６に示す処理手順は、ＣＰＵ２１２により制御される。また、図中に示す番号は各ステップを表す。なお、ボックスへの登録は、ＰＣ１９１から送信されたＰＤＬの展開データと、スキャナユニット１３８により読み取られたスキャン画像データの登録があり、図６（ａ）は、ＰＣ１９１から送信されたＰＤＬの展開データの登録手順に対応し、図６（ｂ）は、スキャナユニット１３８により読み取られたスキャン画像データの登録手順に対応する。
【００５０】
まず、ＰＤＬの展開データを登録する場合、図６（ａ）に示すように、ステップＳ６０１において、ＰＣ１９１上でユーザがプリント設定を行い、ステップＳ６０２に進む。プリント設定パラメータは、部数、用紙サイズ、拡大／縮小率、片面／両面、ページ出力順序、ノート出力、ステイプル止めの有無等である。次に、ステップＳ６０２において、ＰＣ１９１上で格納先を設定することで、ハードディスク１８２のボックス全体領域５０２内の領域もしくはリムーバブルメディア１９２が指定され、ステップＳ６０３に進む。例えば、ボックス番号が１と指定されると、ボックス全体領域５０２内のボックス領域５０３が指定されることになる。次に、ステップＳ６０３において、ＰＣ１９１上で印刷指示を与え、それと共にＰＣ１９１上にインストールされているドライバソフトウェアが印刷対象となるコードデータをＰＤＬデータに変換して、ステップＳ６０１で設定したプリント設定パラメータと共に、画像処理装置１００の制御装置１６０にＰＤＬデータを転送し、ステップＳ６０４に進む。次に、ステップＳ６０４において、転送されたＰＤＬデータを画像データに展開（ラスタライズ）する。画像データの展開が完了するとステップＳ６０５に進む。次に、ステップＳ６０５において、展開された画像データがハードディスク１８２のボックス全体領域５０２もしくはリムーバブルメディア１９２に順次記憶され、処理を終了する。例えば、ボックス番号が１のときは、ボックス領域５０３内に記憶され、ステップＳ６０１で設定したプリント設定パラメータもボックス領域５０３に記憶される。ボックス番号が２、３のときはそれぞれボックス領域５０４、ボックス領域５０５に記憶される。
【００５１】
次に、スキャン画像データを登録する場合は、図６（ｂ）に示すように、まずステップＳ６０６において、ハードディスク１８２のボックス全体領域５０２内の領域もしくはリムーバブルメディア１９２を指定し、ステップＳ６０７に進む。次に、ステップＳ６０７において、画像処理等のスキャン設定を指定し、ステップＳ６０８に進む。ステップＳ６０８において、スキャンスタートの指示を出すことで、リーダ部１３９で原稿を読み取り、ステップＳ６０９に進む。次に、ステップＳ６０９において、ステップＳ６０８で読み取った画像をステップＳ６０６で指定したボックス領域もしくはリムーバブルメディア１９２に格納し、処理を終了する。
【００５２】
図７は、図１に示した画像処理装置１００における操作部１７０に表示されるボックス選択画面の一例を示す模式図であり、図４に示したＬＣＤタッチパネル４１３上に表示される。この画面はボックスを選択する画面であり、７０１はそのボックス番号、ボックス名、ボックス全体領域５０２に対してそのボックスがどれだけ容量をとっているかの情報を表示する。ボックス番号を押下すると、図８に示すボックス内文書リスト画面に遷移する。７０２と７０３はそれぞれ上下スクロールキーであり、７０１の表示を越える数のボックスが登録されているときに、画面をスクロールする場合に使用する。また、このボックス選択画面において、図３で示したＵＳＢポート２５０にリムーバブルメディア１９２を接続すると、図１１に示す文書格納先選択画面に遷移する。
【００５３】
図８は、図１に示した画像処理装置１００における操作部１７０に表示されるボックス内文書リスト画面の一例を示す模式図であり、図４に示したＬＣＤタッチパネル４１３上に表示される。９０１は文書リストであり、文書名と文書を登録した日付と時刻がリストで表示される。文書名に触れると1文書が反転表示され、文書が選択されたことを示す。再度同一文書の文書名に触れることで選択を解除することも可能である。９０２は機密アイコンであり、パスワード入力が必要な文書であることを示している。９０３はこのボックス内の文書数表示である。９０４は上下スクロールキーであり、ボックス内の文書数が文書リスト９０１の1画面におさまらない場合に上下にスクロールさせてリストを切り替えるときに使用する。９０５は全選択キーであり、ボックス内文書全部を選択するときに使用する。９０６は詳細情報キーであり、文書リスト９０１で文書を選択した後にこのキーを押下することで、文書の詳細情報を見ることができる。９０７は消去キーであり、文書リスト９０１で選択した文書を消去する場合に使用する。９０８は文書移動キーであり、文書リスト９０１で選択した文書を他のボックスに移動する場合に使用する。９０９はプリントキーであり、文書リスト９０１で選択した文書をプリントする場合に使用する。プリントキー９０９を押下すると、プリント設定変更画面（図示しない）に遷移し、両面、ステイプル等のプリントモードを変更することが可能である。９１０は原稿読み込みキーであり、このボックスに新規の文書をリーダ部１３９から読み込む場合に使用する。このキーを押下することで、図９に示す原稿読み込み初期設定画面に遷移する。９１１は閉じるキーであり、図７に示すボックス選択画面に戻る場合に使用する。また、このボックス内文書リスト画面において、図３で示したＵＳＢポート２５０にリムーバブルメディア１９２を接続すると、図１５に示すリムーバブルメディア操作確認画面に遷移する。
【００５４】
図９は、図１に示した画像処理装置１００における操作部１７０に表示される原稿読み込み初期設定画面の一例を示す模式図であり、図４に示したＬＣＤタッチパネル４１３上に表示される。この画面で読み込みモードを決定し、スタートキー４０３を押下することで、リーダ部１３９から原稿をボックスに読み込むことが可能である。１００１はメッセージラインであり、アラーム等の状態を表示する。図９においては、リーダ部１３９から読み込みできる状態を示している。１００２は読み込み倍率表示である。１００３は読み込みサイズ表示である。１００４は等倍キーであり、このキーを押下することで１００％の読み込み倍率となる。１００５は倍率キーであり、読み込み倍率を変更する場合に使用する。１００６は読み取り原稿サイズ選択キーであり、明示的に読み込みサイズを指定する場合に使用する。１００８は両面原稿キーであり、リーダ部１３９から読み込む原稿が両面原稿である場合に設定すると、リーダ部１３９の両面読み込みが可能となる。１００９は応用モードキーであり、様々な読み込みモードを設定する場合に使用する。１０１０は濃度キーであり、リーダ部１３９で原稿を読み取るときに薄く読み取るか、濃く読み取るかの調整が可能である。１０１１は画像処理モード設定キーであり、リーダ部１３９で読み取る原稿が写真原稿か、文字原稿かを明示的に区別することにより、画像処理を変更する場合に使用する。１０１２は初期設定に戻すキーであり、図９の画面で設定したモードをクリアし、基本設定に戻す場合に使用する。１０１３はキャンセルキーであり、図８の画面に戻る場合に使用する。また、この原稿読み込み初期設定画面において、図３で示したＵＳＢポート２５０にリムーバブルメディア１９２を接続すると、図１５に示すリムーバブルメディア操作確認画面に遷移する。
【００５５】
図１０は、図１に示した画像処理装置１００における操作部１７０に表示される原稿読み込み設定後の画面の一例を示す模式図であり、図４に示したＬＣＤタッチパネル４１３上に表示される。この画面では、読み込み倍率、両面原稿、応用モードの読み込み設定が入力されており、倍率キー１００５、両面原稿キー１００８、応用モードキー１００９が反転表示し、押下された状態にある。また、この読み込み設定に伴い、メッセージライン１００１、読み込み倍率表示１００２、読み込みサイズ表示１００３の表示内容も図１０に示すように変化している。また、この原稿読み込み設定後の画面において、図３で示したＵＳＢポート２５０にリムーバブルメディア１９２を接続すると、図１５に示すリムーバブルメディア操作確認画面に遷移する。
【００５６】
図１１は、図１に示した画像処理装置１００における操作部１７０に表示される文書格納先選択画面の一例を示す模式図であり、図４に示したＬＣＤタッチパネル４１３上に表示される。この画面は文書の格納先として、ボックスもしくはリムーバブルメディアを選択する画面である。リムーバブルメディアキー１１０１を押下すると、図１２に示すリムーバブルメディア内文書リスト画面に遷移する。また、この文書格納先選択画面において、図３で示したＵＳＢポート２５０からリムーバブルメディア１９２を取り外すと、図７で示したボックス選択画面に遷移する。
【００５７】
図１２は、図１に示した画像処理装置１００における操作部１７０に表示されるリムーバブルメディア内文書リスト画面の一例を示す模式図であり、図４に示したＬＣＤタッチパネル４１３上に表示される。１２０１は文書リストであり、文書名と文書を登録した日付と時刻がリストで表示される。文書名に触れると1文書が反転表示され、文書が選択されたことを示す。再度同一文書の文書名に触れることで選択を解除することも可能である。１２０２はリムーバブルメディア内の文書数表示である。１２０３は上下スクロールキーであり、リムーバブルメディア内の文書数が文書リスト１２０１の1画面におさまらない場合に上下にスクロールさせてリストを切り替えるときに使用する。１２０４は全選択キーであり、リムーバブルメディア内の文書全部を選択するときに使用する。１２０５は詳細情報キーであり、文書リスト９０１で文書を選択した後にこのキーを押下することで、文書の詳細情報を見ることができる。１２０６は消去キーであり、文書リスト１２０１で選択した文書を消去する場合に使用する。１２０７は文書移動キーであり、文書リスト１２０１で選択した文書をボックスに移動する場合に使用する。１２０８はプリントキーであり、文書リスト１２０１で選択した文書をプリントする場合に使用する。プリントキー１２０８を押下すると、プリント設定変更画面（図示しない）に遷移し、両面、ステイプル等のプリントモードを変更することが可能である。１２０９は原稿読み込みキーであり、リムーバブルメディアに新規の文書をリーダ部１３９から読み込む場合に使用する。このキーを押下することで、図１３に示すリムーバブルメディア読み込み初期設定画面に遷移する。１２１０は閉じるキーであり、図１１に示す文書格納先選択画面に戻る場合に使用する。また、このリムーバブルメディア内文書リスト画面において、図３で示したＵＳＢポート２５０からリムーバブルメディア１９２を取り外すと、図１６で示すボックス操作確認画面に遷移する。
【００５８】
図１３は、図１に示した画像処理装置１００における操作部１７０に表示されるリムーバブルメディア読み込み初期設定画面の一例を示す模式図であり、図４に示したＬＣＤタッチパネル４１３上に表示される。この画面で読み込みモードを決定し、スタートキー４０３を押下することで、リーダ部１３９から原稿をリムーバブルメディアに読み込むことが可能である。図１３において、メッセージライン１００１にリムーバブルメディアに文書を格納することが表示されている以外は、図９の原稿読み込み初期設定画面と同様である。また、このリムーバブルメディア読み込み初期設定画面において、図３で示したＵＳＢポート２５０からリムーバブルメディア１９２を取り外すと、図１６で示すボックス操作確認画面に遷移する。
【００５９】
図１４は、図１に示した画像処理装置１００における操作部１７０に表示されるリムーバブルメディア読み込み設定後の画面の一例を示す模式図であり、図４に示したＬＣＤタッチパネル４１３上に表示される。この画面では、読み込み倍率、両面原稿、応用モードの読み込み設定が入力されており、倍率キー１００５、両面原稿キー１００８、応用モードキー１００９が反転表示し、押下された状態にある。また、この読み込み設定に伴い、メッセージライン１００１、読み込み倍率表示１００２、読み込みサイズ表示１００３の表示内容も図１４に示すように変化している。また、このリムーバブルメディア読み込み設定後の画面において、図３で示したＵＳＢポート２５０からリムーバブルメディア１９２を取り外すと、図１６で示すボックス操作確認画面に遷移する。
【００６０】
図１５は、図１に示した画像処理装置１００における操作部１７０に表示されるリムーバブルメディア操作確認画面の一例を示す模式図であり、図４に示したＬＣＤタッチパネル４１３上に表示される。１５０１ははいキーで、このキーを押下することにより、図８に示したボックス内文書リスト画面からリムーバブルメディア操作確認画面に遷移してきた場合には、図１２に示したリムーバブルメディア内文書リスト画面に遷移する。また、図９に示した原稿読み込み初期設定画面からリムーバブルメディア操作確認画面に遷移してきた場合には、図１３に示したリムーバブルメディア読み込み初期設定画面に遷移する。さらに、図１０に示した原稿読み込み設定後の画面からリムーバブルメディア操作確認画面に遷移してきた場合には、図１４に示したリムーバブルメディア読み込み設定後の画面に遷移する。１５０２はいいえキーで、このキーを押下することにより、図８に示したボックス内文書リスト画面からリムーバブルメディア操作確認画面に遷移してきた場合には、ボックス内文書リスト画面に戻る。また、図９に示した原稿読み込み初期設定画面からリムーバブルメディア操作確認画面に遷移してきた場合には、原稿読み込み初期設定画面に戻る。さらに、図１０に示した原稿読み込み設定後の画面からリムーバブルメディア操作確認画面に遷移してきた場合には、原稿読み込み設定後の画面に戻る。
【００６１】
図１６は、図１に示した画像処理装置１００における操作部１７０に表示されるボックス操作確認画面の一例を示す模式図であり、図４に示したＬＣＤタッチパネル４１３上に表示される。１６０１ははいキーで、このキーを押下することにより、図１２に示したリムーバブルメディア内文書リスト画面からボックス操作確認画面に遷移してきた場合には、図８に示したボックス内文書リスト画面に遷移する。また、図１３に示したリムーバブルメディア読み込み初期設定画面からボックス操作確認画面に遷移してきた場合には、図９に示した原稿読み込み初期設定画面に遷移する。さらに、図１４に示したリムーバブルメディア読み込み設定後の画面からボックス操作確認画面に遷移してきた場合には、図１０に示した原稿読み込み設定後の画面に遷移する。１６０２はいいえキーで、このキーを押下することにより、図７に示したボックス選択画面に遷移する。
【００６２】
次に、外部記憶媒体の接続及び非接続を検知した際の動作について図１７、図１８を参照しながら説明する。
【００６３】
図１７は、本実施例におけるリムーバブルメディア接続イベント検知時の処理を表したフローチャートである。ここで、図１７に示す処理手順は、ＣＰＵ２１２により制御される。また、図中に示す番号は各ステップを表す。
【００６４】
まず、Ｉ／Ｏ制御部２２６でＵＳＢポート２５０にリムーバブルメディア１９２が接続されたことを検知すると、ＬＣＤタッチパネル４１３上に表示していた画面情報をＤＲＡＭ２１６に記憶する（Ｓ１７０１）。
【００６５】
次に、ボックスに対する操作中であるか否かを判別し（Ｓ１７０２）、操作中でないと判断された場合には、図１１に示した文書格納先選択画面をＬＣＤタッチパネル４１３上に表示する（Ｓ１７０３）。そして、ステップＳ１７０１で記憶した画面情報をＤＲＡＭ２１６から消去し（Ｓ１７０４）、処理を終える。
【００６６】
一方、ステップＳ１７０２でボックスに対する操作中であると判断された場合には、ボックスに対する設定内容をＤＲＡＭ２１６に記憶し（Ｓ１７０５）、図１５に示したリムーバブルメディア操作確認画面をＬＣＤタッチパネル４１３上に表示する（Ｓ１７０６）。
【００６７】
次に、リムーバブルメディアに対する操作を行うか否かを判別し（Ｓ１７０７）、リムーバブルメディア操作確認画面において、はいキー１５０１が押下されたと判断された場合には、ＤＲＡＭ２１６に記憶したボックスに対する設定内容をリムーバブルメディアに対する設定内容に反映する（Ｓ１７０８）。そして、ＤＲＡＭ２１６に記憶した画面情報を基に、リムーバブルメディア接続イベント検知前に表示していた画面に対応する画面をＬＣＤタッチパネル４１３上に表示する（Ｓ１７０９）。すなわち、前述したように、図８に示したボックス内文書リスト画面に対応する画面は図１２に示したリムーバブルメディア内文書リスト画面であり、また図１０に示した原稿読み込み設定後の画面に対応する画面は図１４に示したリムーバブルメディア読み込み設定後の画面である。そして、ステップＳ１７０１で記憶した画面情報をＤＲＡＭ２１６から消去し（Ｓ１７０４）、処理を終える。
【００６８】
一方、リムーバブルメディア操作確認画面において、いいえキー１５０２が押下されたと判断された場合には、ＤＲＡＭ２１６に記憶した画面情報を基に、リムーバブルメディア接続イベント検知前に表示していた画面をＬＣＤタッチパネル４１３上に表示し（Ｓ１７１０）、ステップＳ１７０５で記憶したボックスに対する設定内容をＤＲＡＭ２１６から消去する（Ｓ１７１１）と共に、ステップＳ１７０１で記憶した画面情報をＤＲＡＭ２１６から消去し（Ｓ１７０４）、処理を終える。
【００６９】
図１８は、本実施例におけるリムーバブルメディア非接続イベント検知時の処理を表したフローチャートである。ここで、図１８に示す処理手順は、ＣＰＵ２１２により制御される。また、図中に示す番号は各ステップを表す。
【００７０】
まず、Ｉ／Ｏ制御部２２６でＵＳＢポート２５０からリムーバブルメディア１９２が取り外されたことを検知すると、ＤＲＡＭ２１６にボックスに対する設定内容が記憶されているか否かを判別する（Ｓ１８０１）。記憶されていないと判断された場合には、図７に示したボックス選択画面をＬＣＤタッチパネル４１３上に表示し（Ｓ１８０２）、処理を終える。
【００７１】
一方、ステップＳ１８０１でボックスに対する設定内容がＤＲＡＭ２１６に記憶されていると判断された場合には、ボックスに対する設定内容を呼び出し（Ｓ１８０３）、図１６に示したボックス操作確認画面をＬＣＤタッチパネル４１３上に表示する（Ｓ１８０４）。
【００７２】
次に、ボックスに対する操作を行うか否かを判別し（Ｓ１８０５）、ボックス操作確認画面において、はいキー１６０１が押下されたと判断された場合には、リムーバブルメディアに対する設定内容をボックスに対する設定内容に反映する（Ｓ１８０６）。そして、ＤＲＡＭ２１６に記憶したボックスに対する設定内容を基に、リムーバブルメディア非接続イベント検知前に表示していた画面に対応する画面をＬＣＤタッチパネル４１３上に表示する（Ｓ１８０７）。すなわち、前述したように、図１２に示したリムーバブルメディア内文書リスト画面に対応する画面は図８に示したボックス内文書リスト画面であり、また図１４に示したリムーバブルメディア読み込み設定後の画面に対応する画面は図１０に示した原稿読み込み設定後の画面である。そして、図１７のステップＳ１７０５で記憶したボックスに対する設定内容をＤＲＡＭ２１６から消去し（Ｓ１８０８）、処理を終える。
【００７３】
一方、ボックス操作確認画面において、いいえキー１６０２が押下されたと判断された場合には、図１７のステップＳ１７０５で記憶したボックスに対する設定内容をＤＲＡＭ２１６から消去し（Ｓ１８０９）、図７に示したボックス選択画面をＬＣＤタッチパネル４１３上に表示し（Ｓ１８０２）、処理を終える。
【００７４】
以上説明したように、ボックスに対する入力操作を行っている最中に、リムーバブルメディアが接続されたとしても、ユーザが希望するのであれば、ボックスに対する設定内容をリムーバブルメディアに対する設定内容に引き継がせることができる。また同様に、リムーバブルメディアに対する入力操作を行っている最中に、リムーバブルメディアが取り外されたとしても、ユーザが希望するのであれば、リムーバブルメディアに対する設定内容をボックスに対する設定内容に引き継がせることができる。
【図１】
2011044922.tif 000003
【図２】
2011044922.tif 000004
【図３】
2011044922.tif 000005
【図４】
2011044922.tif 000006
【図５】
2011044922.tif 000007
【図６】
2011044922.tif 000008
【図７】
2011044922.tif 000009
【図８】
2011044922.tif 000010
【図９】
2011044922.tif 000011
【図１０】
2011044922.tif 000012
【図１１】
2011044922.tif 000013
【図１２】
2011044922.tif 000014
【図１３】
2011044922.tif 000015
【図１４】
2011044922.tif 000016
【図１５】
2011044922.tif 000017
【図１６】
2011044922.tif 000018
【図１７】
2011044922.tif 000019
【図１８】
2011044922.tif 000020